(57)【要約】【課題】故障や逆流の心配がない大気開放式の給湯装置を提供する。【解決手段】加熱手段２で加熱された温水を貯湯する貯湯缶体１と、前記貯湯缶体１には２個の逆止弁８、９と逆流水開放弁１０と給水電磁弁１１を備えた給水管７が連通し、この給水電磁弁１１を貯湯缶体１内の水位を検知する水位検知手段１４で水位に応じて開閉し常に一定水位を保持して、貯湯缶体１上部に大気開放室１６を形成したので、断水等による負圧時には逆流水開放弁１０が開放して負圧状態を解除するものであり、又２個の逆止弁８、９で逆流を確実に阻止され、貯湯缶体１内は水位検知手段１４による給水電磁弁１１の開閉制御で大気開放状態が維持出来、確実であり誤動作の心配がまったくなく常に安心して使用出来るものであり、貯湯缶体１の形状を扁平状にして設置スペースを取らず小さな隙間に容易に設置出来るものである。【選択図】図１
2006226553.tif 000002
【特許請求の範囲】
【請求項１】
加熱手段で加熱された温水を貯湯する貯湯缶体と、前記貯湯缶体には２個の逆止弁と逆流水開放弁と給水電磁弁を備えた給水管が連通し、この給水電磁弁を貯湯缶体内の水位を検知する水位検知手段で水位に応じて開閉し常に一定水位を保持して、貯湯缶体上部に大気開放室を形成した事を特徴とする開放式給湯装置。
【請求項２】
前記貯湯缶体の給湯管には、給湯加圧ポンプを備えた事を特徴とする請求項１記載の開放式給湯装置。
【発明の詳細な説明】
【技術分野】
【０００１】
この発明は、貯湯缶体内に給水圧がかからずに、大気開放状態とした貯湯式の給湯装置に関するものである。
【背景技術】
【０００２】
従来よりこの種の開放式給湯装置では、機械式のボールタップ弁を利用することで、給水と縁切りして貯湯缶体内を大気開放状態として、使用圧力の制限をなくし、貯湯缶体の材料や構造を安価なものにするものであった。（例えば、特許文献１参照）
【特許文献１】実公昭６０−３５００４号公報
【発明の開示】
【発明が解決しようとする課題】
【０００３】
ところでこの従来のものでは、機械式のボールタップ弁を使用していることから、ごみ詰まり等で容易に不具合が発生する危険があり、確実性に欠け常に安心して使用することが出来ないものであった。
【課題を解決するための手段】
【０００４】
この発明はこの点に着目し、上記欠点を解決する為、特にその構成を、請求項１では、加熱手段で加熱された温水を貯湯する貯湯缶体と、前記貯湯缶体には２個の逆止弁と逆流水開放弁と給水電磁弁を備えた給水管が連通し、この給水電磁弁を貯湯缶体内の水位を検知する水位検知手段で水位に応じて開閉し常に一定水位を保持して、貯湯缶体上部に大気開放室を形成したものである。
【０００５】
又請求項２では、前記貯湯缶体の給湯管には、給湯加圧ポンプを備えたものである。
【発明の効果】
【０００６】
この発明によれば、断水等による負圧時には逆流水開放弁が開放して負圧状態を解除するものであり、又２個の逆止弁で逆流を確実に阻止され、貯湯缶体内は水位検知手段による給水電磁弁の開閉制御で大気開放状態が維持出来、確実であり誤動作の心配がまったくなく常に安心して使用出来るものであり、貯湯缶体の形状を扁平状にして設置スペースを取らず小さな隙間に容易に設置出来るものである。
【０００７】
又請求項２では、給湯加圧ポンプを使用することで、２階給湯は勿論、３階給湯も容易に行え、使用勝手が極めて良くなるものである。
【発明を実施するための最良の形態】
【０００８】
次にこの発明の開放式給湯装置の一実施形態について説明する。
１は温水を貯湯する貯湯缶体、２は温水を加熱する加熱手段としてのヒートポンプユニット、３は浴槽である。
【０００９】
４は貯湯缶体１とヒートポンプユニット２を循環可能に接続する加熱循環回路で、加熱循環ポンプ５を有し貯湯缶体１の下部に接続されたヒーポン往き管４ａ及び貯湯缶体１上部に接続されたヒーポン戻り管４ｂより構成され、貯湯缶体１下部の冷水をヒーポン往き管４ａを介してヒートポンプユニット２で加熱し、加熱された高温の温水をヒーポン戻り管４ｂで貯湯缶体１上部に戻して貯湯缶体１内に温水を加熱貯湯するものである。なお、貯湯缶体１の外周面には縦に複数個の貯湯温度センサ６ａ、６ｂ、６ｃ、６ｄ、６ｅ、６ｆ、６ｇを有しており、この貯湯温度センサが所定温度以上を検出することで貯湯量を検知するものである。
【００１０】
７は貯湯缶体１に水を供給する給水管で、途中には貯湯缶体１側から２個の逆止弁８、９と給水圧で閉じられ断水による負圧で大気開放する逆流水開放弁１０と、給水の開始、停止を制御する給水電磁弁１１とが一つのセットとして備えられており、又給水電磁弁１１より給水側には異常遮断用の電磁弁１２と減圧逆止弁１３が備えられている。
【００１１】
１４は貯湯缶体１の上端から内方に垂下された２本の電極から成る水位検知手段で、３７０Ｌを貯湯する為に、貯湯量が下がればこれを検知して給水電磁弁１１を開成し水を補給し、そして所定量になればこれを検知して給水電磁弁１１を閉成し水の補給を停止するものであり、湯水の最上面と貯湯缶体１上端面との間には、エアー抜き管１５を介して大気開放された大気開放室１６が形成されている。
【００１２】
１７は貯湯缶体１上部に連通した給湯管で、蛇口１８を開くことによる水の流れをフロースイッチ１９が検知して駆動開始する給湯加圧ポンプ２０を備え、貯湯缶体１内の湯水を逆止弁２１、給湯混合弁２２、給湯サーミスタ２３、流量カウンター２４を介して蛇口１８から設定温度の給湯を行うものであり、これは給湯混合弁２２で給水管７から分岐した給水パイパス管２５の給水と湯水を設定温度となるように混合して供給しているからであり、給湯停止時には給水側を開口して蛇口１８開口時の水流を作るものである。
【００１３】
２６は貯湯缶体１内上部の湯水中に位置された風呂熱交換器で、風呂往き管２７と風呂戻り管２８を介して浴槽３と連通して、風呂の保温及び追い焚きを行う風呂循環回路２９を構成するもので、この風呂循環回路２９には水位センサー３０、風呂電動弁３１、風呂循環ポンプ３２、循環温サーミスタ３３、風呂フロースイッチ３４、風呂熱交換器２６のバイパス路を形成する風呂保温三方弁３５、追い焚き検知サーミスタ３６とが備えられている。
【００１４】
３７は給湯管１７の逆止弁２１と給湯混合弁２２の間と風呂循環回路２９を結ぶ湯張り回路で、給湯水に給水を混ぜて風呂設定温度に設定する風呂混合弁３８と、湯張り電磁弁３９、風呂流量カウンタ４０、風呂逆流開放弁４１、２個の逆止弁４２、４３がそれぞれ備えられている。
【００１５】
４４は給湯加圧ポンプ２０後方の給湯管１７に設けた中温水三方弁で、貯湯缶体１で風呂熱交換器２６の直ぐ下の位置に連通した中温水取り出し管４５が接続し、風呂熱交換器２６で保温や追い焚きした後の中温水を取り出して給湯に利用するものである。
【００１６】
次に、この開放式給湯装置の特徴的作動を以下に説明する。
前記貯湯缶体１内の湯水は、時間帯別電灯契約や深夜電力等の安価な電力を利用し、ヒートポンプユニット２に加熱循環回路４を介して順次循環させることで、翌朝には９０℃の湯水を３７０Ｌ貯湯するものである。
【００１７】
そして、蛇口１８を開くと給水バイパス管２５を介しての給水の流れが出来、これをフロースイッチ１９が検知することで、給湯加圧ポンプ２０が駆動開始して貯湯缶体１内の高温水を、給湯混合弁２２で給水と混合して設定温度の温水として蛇口１８から供給するものであり、又蛇口１８を閉じることによる流水の停止をフロースイッチ１９が検知して給湯加圧ポンプ２０の駆動を停止して給湯が終了するものである。
【００１８】
一方給湯中に貯湯缶体１では、貯湯温水が減少することにより、水位検知手段１４がこれを検知して給水電磁弁１１を開成することで、給水管７から貯湯缶体１底部へ給水圧で補水がなされ貯湯水位が上昇し所定水位に達すると、水位検知手段１４がこれを検知して給水電磁弁１１を閉成して給水が停止されるものである。
【００１９】
又この給水管７には、２個の逆止弁８、９があり、しかも給水電磁弁１１がその上流側に備えられているので、貯湯缶体１内の湯水の逆流は確実に阻止されるものであり、更に断水等による負圧に対しては、給水電磁弁１１で遮断するが、給水時については、逆流水開放弁１０が給水圧がなくなることで開放して、負圧が解消されることで、逆流が確実に防止されるものであり、水位検知手段１４による貯湯缶体１の水位を見ながらの給水電磁弁１１の制御で、貯湯缶体１に給水圧がかからない給湯を、機械的な部品の使用をなくして信頼性の高い構成で実現したので、貯湯缶体１の形状や材料を強度をあまり気にすることなく、容易に変更出来、安価に提供出来ると共に、故障等の心配もなく安心して使用出来るものである。
【００２０】
尚、この一実施形態では、加熱手段をヒートポンプユニット２としたが、これに限定されることなく、例えば電気ヒーターとしても良いものである。
【図面の簡単な説明】
【００２１】
【図１】この発明の一実施形態の概略構成図。
【符号の説明】
【００２２】
１  貯湯缶体
２  ヒートポンプユニット（加熱手段）
７  給水管
８、９  逆止弁
１１  給水電磁弁
１４  水位検知手段
１６  大気開放室
２０  給湯加圧ポンプ
【図１】
2006226553.tif 000003